(57)【要約】【課題】畳を乾燥させる効果が高く、設置された部屋を乾燥させることができる畳ベッドを提供する。【解決手段】ボトム６が、スノコ板から成る。１対のサイドレール２が、細長い板状で、内側のボトム６より下方の互いに対向する位置に、底板７を支持する底板支持部を有している。各サイドレール２は、ボトム６と底板７との間の位置に、内側から外側まで貫通する通気孔１１を有している。底板７は、スノコ状で、底板支持部で支持されている。乾燥剤８は、ボトム６と底板７との間に配置されている。【選択図】図１
0003127000.tif 000002
【実用新案登録請求の範囲】
【請求項１】
１対のサイドレールにより支持されたボトムの上に畳を載せて成る畳ベッドであって、
スノコ状の底板と乾燥剤とを有し、
前記ボトムはスノコ板から成り、
各サイドレールは、内側の前記ボトムより下方の位置に前記底板を支持する底板支持部を有し、前記ボトムと前記底板との間の位置に内側から外側まで貫通する通気孔を有し、
前記乾燥剤は前記ボトムと前記底板との間に配置されていることを、
特徴とする畳ベッド。
【考案の詳細な説明】
【技術分野】
【０００１】
本考案は、畳ベッドに関する。
【背景技術】
【０００２】
従来の畳ベッドは、スノコ板から成るボトムの上に畳を載せて成り、畳下部への空気の流通をよくすることにより、汗などの湿気を吸収した畳を自然乾燥させるようになっている（例えば、特許文献１または２参照）。
【０００３】
【特許文献１】特開平１１−１６４７５６号公報
【特許文献２】実用新案登録第３０６８２４５号公報
【考案の開示】
【考案が解決しようとする課題】
【０００４】
しかしながら、従来の畳ベッドは、空気の流通により畳を自然乾燥させるため、設置された部屋の湿度が高いときや、部屋を閉め切っているときなどには、畳を十分に乾燥させることができないという課題があった。また、畳ベッドを置いた部屋を閉め切っているときには、畳が吸収した水分が蒸発して部屋全体の湿度が高くなるという課題もあった。
【０００５】
本考案は、このような従来の課題に着目してなされたもので、畳を乾燥させる効果が高く、設置された部屋を乾燥させることができる畳ベッドを提供することを目的とする。
【課題を解決するための手段】
【０００６】
上記目的を達成するために、本考案に係る畳ベッドは、１対のサイドレールにより支持されたボトムの上に畳を載せて成る畳ベッドであって、スノコ状の底板と乾燥剤とを有し、前記ボトムはスノコ板から成り、各サイドレールは、内側の前記ボトムより下方の位置に前記底板を支持する底板支持部を有し、前記ボトムと前記底板との間の位置に内側から外側まで貫通する通気孔を有し、前記乾燥剤は前記ボトムと前記底板との間に配置されていることを、特徴とする。
【０００７】
本考案に係る畳ベッドは、ボトムの上に畳を敷いて使用される。ボトムがスノコ板から成り、乾燥剤がボトムと底板との間に配置されているため、乾燥剤がスノコ状のボトムの隙間を通して畳の水分を吸収し、畳を乾燥させることができる。乾燥剤により畳を乾燥させるため、設置された部屋の湿度に関わりなく、畳を十分に乾燥させることができる。また、乾燥剤が、スノコ状の底板の隙間および通気孔を通して、設置された部屋の水分を吸収するため、設置された部屋を乾燥させることができる。
【０００８】
本考案に係る畳ベッドで、乾燥剤は炭またはゼオライトから成ることが好ましい。この場合、畳や部屋を乾燥させる調湿効果とともに、ＶＯＣの吸着効果や脱臭効果が得られる。さらに、炭からなる場合、マイナスイオンを発生する効果も得られる。畳は、稲わらを含む畳から成ることが好ましい。この場合、稲わらが睡眠中の寝汗を吸収し、ベッドの不使用時に放湿するため、快適に眠ることができる。また、吸放湿性とともに、耐久性、弾力性、断熱・保温性、難燃性を有する。さらに、畳は、備長炭を含んでいてもよい。この場合、備長炭による調湿効果、ＶＯＣの吸着効果、脱臭効果、マイナスイオンを発生する効果が得られる。
【考案の効果】
【０００９】
本考案によれば、畳を乾燥させる効果が高く、設置された部屋を乾燥させることができる畳ベッドを提供することができる。
【考案を実施するための最良の形態】
【００１０】
以下、図面に基づき本考案の実施の形態について説明する。
図１および図２は、本考案の実施の形態の畳ベッドを示している。
図１および図２に示すように、畳ベッド１は、１対のサイドレール２とヘッドボード３とフットボード４と棚部５とボトム６と底板７と乾燥剤８と畳（図示せず）とを有している。
【００１１】
図１および図２に示すように、各サイドレール２は、木製で、細長い矩形板状に形成されている。各サイドレール２は、上方支持部（図示せず）と底板支持部（図示せず）と通気孔１１とを有している。上方支持部および底板支持部は、細長い角材から成っている。上方支持部および底板支持部は、各サイドレール２の一方の表面に、各サイドレール２の長さ方向に沿って一端から他端まで伸びて、互いに平行にネジ釘で取り付けられている。上方支持部は、各サイドレール２の一方の側縁から所定の間隔を開けて取り付けられ、底板支持部は、各サイドレール２の他方の側縁に沿って取り付けられている。
【００１２】
通気孔１１は、円形で、各サイドレール２の厚みを貫通して形成されている。通気孔１１は、上方支持部と底板支持部とに挟まれた位置に、各サイドレール２の長さ方向に沿って等間隔で８個ずつ形成されている。また、各サイドレール２は、両端面に長さ方向に沿って突出した金属製の凸部を有している。
【００１３】
ヘッドボード３は、木製で、細長い矩形板状に形成され、各サイドボードの幅と同じ幅を有している。ヘッドボード３は、幅方向の各サイドレール２の通気孔１１に対応する位置に、長さ方向に沿って等間隔で、厚みを貫通して形成された３つの通気孔（図示せず）を有している。ヘッドボード３は、両端に一方の側縁から幅方向に突出した１対の頭部側支持脚１２を有している。ヘッドボード３は、一方の面の両端部に、各サイドボードの凸部に嵌合可能な金属製の凹部を有している。ヘッドボード３は、凹部を各サイドレール２の一方の端面の凸部に嵌合させて取り付けられている。このとき、各サイドレール２は、上方支持部の側の側縁を上にして、上方支持部および底板支持部を有する一方の面を互いに内側に向けて取り付けられている。
【００１４】
フットボード４は、木製で、ヘッドボード３より幅が大きい矩形板状に形成されている。フットボード４は、幅方向の各サイドレール２の通気孔１１に対応する位置に、長さ方向に沿って等間隔で、厚みを貫通して形成された３つの通気孔４ａを有している。フットボード４は、両端に一方の側縁から幅方向に突出した１対の足部側支持脚１３を有している。フットボード４は、一方の面の両端部の足部側支持脚１３寄りの位置に、各サイドボードの凸部に嵌合可能な金属製の凹部を有している。フットボード４は、凹部を各サイドレール２の他方の端面の凸部に嵌合させて取り付けられている。
【００１５】
図１および図２に示すように、畳ベッド１は、各頭部側支持脚１２および各足部側支持脚１３で支持されて、各サイドレール２の上面が水平を成し、各サイドレール２が互いに平行になっている。また、各サイドレール２の上方支持部および底板支持部が、それぞれ各サイドレール２の内側の互いに対向する位置に配置されている。
【００１６】
棚部５は、木製で、所定の厚みを有し、ヘッドボード３に隣接して配置されている。棚部５は、１対の側板１４と棚板１５と奥板１６と前面板１７とを有している。各側板１４は、ヘッドボード３の両側縁に沿って垂直に配置されており、上端がヘッドボード３の側に傾斜している。棚板１５は、ヘッドボード３の上面より上方に配置され、各側板１４の間に挟まれて水平に取り付けられている。奥板１６は、各側板１４の間を塞ぐよう、各側板１４のヘッドボード３とは反対側の側縁を接続して取り付けられている。前面板１７は、棚板１５とヘッドボード３の上面との間を塞ぐよう、各側板１４のヘッドボード３側の側縁を接続して取り付けられている。前面板１７は、ヘッドボード３の通気孔を塞がないように取り付けられる。なお、棚部５はオプションであり、畳ベッド１に設けられていなくてもよい。
【００１７】
図１に示すように、ボトム６は、矩形状の３枚のスノコ板から成っている。図１および図２に示すように、ボトム６は、各サイドレール２の上方支持部の上に各スノコ板の両端を載せて、各スノコ板を幅方向に並べて配置されている。こうして、ボトム６は、各サイドレール２の上方支持部により支持されて、通気孔１１より上方に配置されている。
【００１８】
底板７は、ボトム６と同じ矩形状の３枚のスノコ板から成っている。図２に示すように、底板７は、各サイドレール２の底板支持部の上に各スノコ板の両端を載せて、各スノコ板を幅方向に並べて配置されている。こうして、底板７は、各サイドレール２の底板支持部で支持されて、通気孔１１の下方に配置されている。これにより、各サイドレール２の通気孔１１、ヘッドボード３の通気孔およびフットボード４の通気孔４ａは、ボトム６と底板７との間に位置している。
【００１９】
乾燥剤８は、炭から成り、３つの通気性の袋に分けて収納されている。図２に示すように、乾燥剤８は、ボトム６と底板７との間に配置されている。乾燥剤８は、各袋が均等に配置されるよう、底板７の上に載せられている。
畳は、稲わらおよび備長炭を含む半畳の大きさの２枚の畳から成っている。各畳は、ボトム６の上に並べて敷かれている。
【００２０】
次に、作用について説明する。
畳ベッド１は、ボトム６がスノコ板から成り、乾燥剤８がボトム６と底板７との間に配置されているため、乾燥剤８がボトム６のスノコ板の隙間を通して畳の水分を吸収し、畳を乾燥させることができる。乾燥剤８により畳を乾燥させるため、設置された部屋の湿度に関わりなく、畳を十分に乾燥させることができる。また、乾燥剤８が、底板７のスノコ板の隙間、各サイドレール２の通気孔１１、ヘッドボード３の通気孔およびフットボード４の通気孔４ａを通して、設置された部屋の水分を吸収するため、設置された部屋を乾燥させることができる。
【００２１】
乾燥剤８が炭から成るため、畳や部屋を乾燥させる調湿効果とともに、ＶＯＣの吸着効果や脱臭効果、マイナスイオンを発生する効果も得られる。畳の稲わらが、睡眠中の寝汗を吸収し、ベッドの不使用時に放湿するため、快適に眠ることができる。また、吸放湿性とともに、耐久性、弾力性、断熱・保温性、難燃性を有する。畳の備長炭により、調湿効果、ＶＯＣの吸着効果、脱臭効果、マイナスイオンを発生する効果が得られる。このように、畳ベッド１は、使用者が快適に眠ることができるとともに、使用者の健康維持にも効果的である。
【００２２】
なお、畳ベッド１は、棚部５を有していなくてもよい。棚部５を有していなくとも、乾燥剤８による調湿などの効果や、畳の稲わらや備長炭による効果を得ることができる。棚部５とヘッドボード３とが固定されていないため、容易に棚部５を取り付けたり、取り外したりすることができる。
【図面の簡単な説明】
【００２３】
【図１】本考案の実施の形態の畳ベッドを示す斜視図である。
【図２】図１に示す畳ベッドの側面図である。
【符号の説明】
【００２４】
１    畳ベッド
２    サイドレール
３    ヘッドボード
４    フットボード
５    棚部
６    ボトム
７    底板
８    乾燥剤
１１  通気孔
１２  頭部側支持脚
１３  足部側支持脚
１４  側板
１５  棚板
１６  奥板
１７  前面板
【図１】
0003127000.tif 000003
【図２】
0003127000.tif 000004